(57)【要約】      （修正有）【課題】容易に準備できるうえ簡単に運搬できる、ゴルフバッグ型バルーンを提供する。【解決手段】ゴルフバッグ型バルーン１は、空気室を有する本体１０と、本体１０の空気室１２、１３に空気を出し入れさせるためのバルブ２２、２３と、を備え、本体１０は、所定のゴルフバッグの形状及び大きさと略同様の形状及び大きさに形成されている。また、本体１０の側面には、長さ計測用のスケール１５を有していることが好ましい。さらに、本体１０は、ゴルフバッグの複数の大きさに対応した複数の空気室１２、１３を有し、複数の空気室１２、１３のそれぞれには、バルブ２２、２３が取り付けられていることができる。【選択図】図１
0003229942.tif 000002
【実用新案登録請求の範囲】
【請求項１】
空気室を有する本体と、
前記本体の前記空気室に空気を出し入れさせるためのバルブと、を備え、
前記本体は、所定のゴルフバッグの形状及び大きさと略同様の形状及び大きさに形成されている、ゴルフバッグ型バルーン。
【請求項２】
前記本体の側面には、長さ計測用のスケールを有している、請求項１に記載された、ゴルフバッグ型バルーン。
【請求項３】
前記本体は、ゴルフバッグの複数の大きさに対応した複数の空気室を有し、
前記複数の空気室のそれぞれには、前記バルブが取り付けられている、請求項１又は請求項２に記載された、ゴルフバッグ型バルーン。
【請求項４】
前記本体の側面には、広告の表示部が設けられている、請求項１乃至請求項３のいずれか一項に記載された、ゴルフバッグ型バルーン。
【考案の詳細な説明】
【技術分野】
【０００１】
本考案は、ゴルフバック型バルーンに関するものである。
【背景技術】
【０００２】
従来から、自動車販売店（ディーラー）においては、トランク又はラゲッジルームの大きさや容量が問題となることがある。特に、ゴルフの愛好家にとっては、トランク又はラゲッジルーム内に、何個のゴルフバッグを収納できるか、ということが関心事となる。
【０００３】
このため、従来は、購入者又は自動車販売店が、本物のゴルフバッグを準備しておいて、実際にトランク又はラゲッジルーム内にゴルフバッグを収納することで、何個のゴルフバッグを収納できるか、試していた。（関連性は小さいが特許文献１等を参照）。
【先行技術文献】
【特許文献】
【０００４】
【特許文献１】実用新案登録第３１７９９４０号公報
【考案の概要】
【考案が解決しようとする課題】
【０００５】
しかしながら、複数個の実物のゴルフバッグを準備することは困難である。さらに、仮に複数個の実物のゴルフバッグを準備できたとしても、複数個の重いゴルフバッグをトランク又はラゲッジルームまで持ち運ぶことは手間のかかる作業であった。
【０００６】
そこで、本考案は、容易に準備できるうえ簡単に運搬できる、ゴルフバッグ型バルーンを提供することを目的としている。
【課題を解決するための手段】
【０００７】
前記目的を達成するために、第１の考案において、ゴルフバッグ型バルーンは、空気室を有する本体と、前記本体の前記空気室に空気を出し入れさせるためのバルブと、を備え、前記本体は、所定のゴルフバッグの形状及び大きさと略同様の形状及び大きさに形成されている。
【０００８】
また、第２の考案において、前記本体の側面には、長さ計測用のスケールを有していることが好ましい。
【０００９】
さらに、第３の考案において、前記本体は、ゴルフバッグの複数の大きさに対応した複数の空気室を有し、前記複数の空気室のそれぞれには、前記バルブが取り付けられていることが好ましい。
【００１０】
さらに、第４の考案において、前記本体の側面には、広告の表示部が設けられていることが好ましい。
【考案の効果】
【００１１】
このように、第１の考案において、ゴルフバッグ型バルーンは、空気室を有する本体と、本体の前記空気室に空気を出し入れさせるためのバルブと、を備え、本体は、所定のゴルフバッグの形状及び大きさと略同様の形状及び大きさに形成されている。このような構成であれば、容易に準備できるうえ簡単に運搬できる、ゴルフバッグ型バルーンとなる。
【００１２】
また、第２の考案において、本体の側面には、長さ計測用のスケールを有していることによって、スケールによってトランク又はラゲッジルームの広さを計測・把握できる。
【００１３】
さらに、第３の考案において、本体は、ゴルフバッグの複数の大きさに対応した複数の空気室を有し、複数の空気室のそれぞれには、バルブが取り付けられていることによって、複数の大きさのゴルフバッグを収納するためのスペースを把握できる。
【００１４】
さらに、第４の考案において、本体の側面には、広告の表示部が設けられていることによって、自動車販売店等において販売促進グッズとして用いることができる。
【図面の簡単な説明】
【００１５】
【図１】ゴルフバッグ型バルーンの正面図である。
【図２】ゴルフバッグ型バルーンの平面図である。
【図３】ゴルフバッグ型バルーンの側面に設けたスケールの拡大図である。
【図４】ゴルフバッグ型バルーンの作用を説明する作用図である。
【考案を実施するための形態】
【００１６】
以下、本考案の実施の形態について図面を参照して説明する。ただし、以下の実施例に記載されている構成要素は例示であり、本考案の技術範囲をそれらのみに限定する趣旨のものではない。
【００１７】
以下に説明するゴルフバッグ型バルーン（１）は、主として中古車販売店を含む自動車販売店（ディーラー）において使用されることを想定しているが、もちろん、個人で所有することも可能である。さらに、その他の用途、例えば、販促品や玩具としての使用についても、これを妨げるものではない。
【実施例】
【００１８】
（構成）
まず、図１を用いて本実施例のゴルフバッグ型バルーン１の全体構成を説明する。以下では、ゴルフバッグ型バルーン（１）として説明するが、名称についてはキャディバッグ型バルーン（１）とすることもできる。
【００１９】
また、ゴルフバッグ型バルーン（１）が形状及び大きさを模倣するゴルフバッグは、一般的なゴルフバッグである。また、実施例では、スタンド型のゴルフバッグ型バルーン（１）について説明するが、これに限定されるものではなく、カート型のゴルフバッグ型バルーン（１）であってもよい。
【００２０】
そして、本実施例のゴルフバッグ型バルーン１は、図１、図２に示すように、空気室１２（１３）を有する本体１０と、本体１０の空気室１２（１３）に空気を出し入れさせるためのバルブ２２（２３）と、を備えている。このゴルフバッグ型バルーン１は、ビニールや、合成ゴム、天然ゴム等の軽量素材から形成されており、実物のゴルフバッグよりも軽くなっている。
【００２１】
本体１０は、実物では主にゴルフクラブを収納する空間である空気室１２（１３）と、ハンドル１４と、を有している。ただし、本実施例の本体１０は、単なる空気室１２（１３）を有するだけであり、ゴルフクラブを収納することはできない。なお、本体１０が模倣するゴルフバッグのデザインは、実施例のデザインに限定されるものではなく、別の小物収納部等を備える別のデザインのゴルフバッグであっても本考案を適用可能である。
【００２２】
そして、本実施例の本体１０の空気室１２（１３）は、所定のゴルフバッグの形状及び大きさと略同様の形状及び大きさに形成されている。したがって、本実施例のゴルフバッグ型バルーン１は、実物のゴルフバッグと略同様のスペースを専有することになる。ただし、本体１０は、実物のゴルフバッグと「略」同様の大きさ及び形状にされていればよく、口枠などの内部・細部の構成まで忠実に再現する必要はない。
【００２３】
そして、本体１０の側面には、長さ計測用のスケール１５が描かれている。このスケール１５は、図３に示すように、１（ｃｍ）毎の目盛と、長さを示す数字と、が描かれており、トランク又はラゲッジルームの大きさや、余ったスペースの大きさなどが、わかりやすく表現できるようになっている。なお、目盛の形式は、図３に示す具体例に限定されるものではない。
【００２４】
そして、本実施例の本体１０は、ゴルフバッグの複数の大きさに対応した複数の（ここでは２つの）空気室１２、１３を有し、複数の空気室１２、１３のそれぞれには、バルブ（空気栓）２２、２３が取り付けられており、大きさの異なる複数のゴルフバッグを想定して収納に要するスペースを把握できるようになっている。
【００２５】
すなわち、本体１０は、２種類の大きさの空気室として、内側の小さい空気室１２と、外側のひと回り大きい空気室１３と、を有している。例えば、本体１０は、二重の空気室として、内側の小さい空気室である９インチ用の空気室１２と、外側のひと回り大きい空気室である１０インチ用の空気室１３と、を有することが好ましい。
【００２６】
ここにおいて、バルブ（空気栓）２２、２３は、いわゆる逆止弁であり、空気室内部の圧力が周囲に気圧よりも高くなることで、閉塞されるようになっている。バルブ２２、２３については、一般的な構造であるため詳細な説明は省略する。したがって、内側の空気室１２に繋がるバルブ２２から空気を注入することで小さなゴルフバッグの模型となり、これに加えて外側の空気室１３に繋がるバルブ２３から空気を注入することで大きなゴルフバッグの模型となる。
【００２７】
さらに、本体１０の側面には、自動車メーカ名や販売店名等の広告の表示部１６が設けられている。この広告の表示部１６の具体例な表示手法は、限定されない。例えば、この表示部１６は、自動車メーカ名や販売店名等を印刷（塗装）することもできるし、透明なスリット（薄いケース）を設けて社名等を印刷した紙を挟んで表示することもできる。
【００２８】
（作用・効果）
次に、本実施例のゴルフバッグ型バルーン１の奏する作用・効果を列挙して説明する。
【００２９】
（１）上述してきたように、本実施例のゴルフバッグ型バルーン１は、空気室を有する本体１０と、本体１０の空気室１２（１３）に空気を出し入れさせるためのバルブ２２（２３）と、を備え、本体１０は、所定のゴルフバッグの形状及び大きさと略同様の形状及び大きさに形成されている。このような構成であれば、容易に準備できるうえ簡単に運搬できる、ゴルフバッグ型バルーン１となる。
【００３０】
つまり、図４（ａ）、（ｂ）に示すように、自動車のトランクやラゲッジルームに、何個のゴルフバッグを収納できるかを確認する際に、必要に応じて膨らませることで容易に準備できるうえに、収納場所にも困らないし、さらには持ち運ぶ際にも軽くて便利なゴルフバッグ型バルーン１となる。
【００３１】
加えて、本物のゴルフバッグであれば、積み込む際に自動車に傷がつくおそれがあるが、本実施例のゴルフバッグ型バルーン１であれば、自動車に傷がつくおそれがない、という利点もある。この利点は、特に自動車販売店において、大きな利点となり得る。
【００３２】
例えば、図４（ａ）のように横置きした場合と、図４（ｂ）のように縦置きした場合に、何個のゴルフバッグを収納できるか、あるいは、どのような状態となって運転席からの後方視界を妨げないか、等について容易に確認できるようになる。
【００３３】
（２）また、本体１０の側面には、長さ計測用のスケール１５を有していることによって、スケール１５によってトランク又はラゲッジルームの広さを計測・把握できる。
【００３４】
（３）さらに、本体１０は、ゴルフバッグの複数の大きさに対応した複数の空気室１２、１３を有し、複数の空気室１２、１３のそれぞれには、バルブ２２、２３が取り付けられていることによって、複数の大きさのゴルフバッグを収納するためのスペースを把握できる。
【００３５】
（４）さらに、本体１０の側面には、広告の表示部１６が設けられていることによって、自動車販売店等において販売促進グッズとして用いることができる。
【００３６】
以上、図面を参照して、本考案の実施例を詳述してきたが、具体的な構成は、この実施例に限らず、本考案の要旨を逸脱しない程度の設計的変更は、本考案に含まれる。
【００３７】
例えば、実施例では、ゴルフバッグ型バルーン１が２種類の大きさのゴルフバッグに対応する例について説明したが、これに限定されるものではなく、１種類の大きさでもよいし、３種類以上の大きさに対応することもできる。
【００３８】
さらに、実施例では、ゴルフバッグ型バルーン１にスケール１５が印刷される場合について説明したが、これに限定さるものではなく、スケール１５は必ずしも必須ではなく、表示されなくてもよい。
【００３９】
また、実施例では特に説明しなかったが、ゴルフバッグ型バルーン１には、運搬しやすいように、複数を連結する連結手段があってもよい。他にも、ゴルフバッグ型バルーン１には、数えやすいように、大きく番号（数字）が描かれていてもよい。
【符号の説明】
【００４０】
１          ゴルフバッグ型バルーン
１０        本体
１２        ９インチ用空気室
１３        １０インチ用空気室
１４        ハンドル
１５        スケール（目盛）
１６        広告の表示部
２２        ９インチ用バルブ（空気栓）
２３        １０インチ用バルブ（空気栓）
【図１】
0003229942.tif 000003
【図２】
0003229942.tif 000004
【図３】
0003229942.tif 000005
【図４】
0003229942.tif 000006